(57)【要約】      （修正有）【課題】より効率的で好適にバリ取り作業を行うことが可能になるとともに、大きな加工品を取り扱う場合であっても、フォークリフトでパレットとともに加工品を作業台に載せて好適にバリ取り作業を行うことが可能な集塵バリ取り作業用装置を提供すること。【解決手段】製品Ｗをパレット４とともに載置して作業者Ｍがバリ取り作業を行うための作業台装置１と、作業台装置１を取り囲むように配置され、切粉の飛散を防止するための切粉飛散防止装置２と、切粉飛散防止装置２で囲まれた内部空間の空気を吸引して、バリ取り作業時に発生する切粉を吸引する集塵装置を備えた切粉吸引回収装置とを備える。【選択図】図１
2020093328.tif 000002
【特許請求の範囲】
【請求項１】
パレットに載置された製品のバリ取り作業に用いる装置であって、
前記製品を前記パレットとともに載置して作業者がバリ取り作業を行うための作業台装置と、
前記作業台装置を取り囲むように配置され、切粉の飛散を防止するための切粉飛散防止装置と、
前記切粉飛散防止装置で囲まれた内部空間の空気を吸引して、バリ取り作業時に発生する切粉を吸引する集塵装置を備えた切粉吸引回収装置と、を備える、集塵バリ取り作業用装置。
【請求項２】
前記作業台装置は、
テーブルと、
前記テーブルに支持されて前記テーブル上に配設される切粉受けと、
前記テーブルに支持され、前記切粉受け上に配設される前記パレット及び前記製品を上下方向に延びる回転軸周りに回転可能に支持する回転機構と、を備える、請求項１に記載の集塵バリ取り作業用装置。
【請求項３】
前記切粉吸引回収装置は、
切粉受けで受けた切粉を前記集塵装置で吸引して回収するように構成されている、請求項１または請求項２に記載の集塵バリ取り作業用装置。
【請求項４】
前記作業台装置は、前記テーブルを上下方向に昇降させる昇降機構を備える、請求項２または請求項３に記載の集塵バリ取り作業用装置。
【請求項５】
前記切粉飛散防止装置の内側に入ってバリ取り作業を行う作業者より後方の側から前記作業台装置に載置された前記製品の側に向けて空気を送風する送風装置を備える、請求項１から請求項４のいずれか一項に記載の集塵バリ取り作業用装置。
【請求項６】
前記送風装置は、前記切粉飛散防止装置に設けられた作業者出入り用開口から内部に入ってバリ取り作業を行う作業者に対し、斜め後方から風を吹き付けるとともに、前記作業者出入り用開口を遮断するエアカーテンを形成するように構成されている、請求項５に記載の集塵バリ取り作業用装置。
【請求項７】
前記切粉飛散防止装置は、前記作業台装置を取り囲むように立設された仕切り壁部を備え、
前記仕切り壁部は、少なくとも一部が上下方向に延びる中心軸周りに回動可能に設けられ、前記回動によって、前記仕切り壁部の内外に作業者が出入りするための作業者出入り用開口と、前記仕切り壁部の内側の前記作業台装置に対して前記パレットとともに前記製品を搬入出するための製品搬出入用開口との少なくとも一方の開口部が形成されるように構成されている、請求項１から請求項６のいずれか一項に記載の集塵バリ取り作業用装置。
【請求項８】
前記仕切り壁部は、一部が前記仕切り壁部の壁面に沿う方向にスライドして回動可能に設けられ、開のスライド動作によって、前記製品搬出入用開口が形成されるように構成されている、請求項７に記載の集塵バリ取り作業用装置。
【請求項９】
前記切粉飛散防止装置は、前記仕切り壁部の前記開のスライド動作を行うとともに、前記作業者出入り用開口に侵入防止部材が突出し、前記作業者出入り用開口から内部に作業者が入ることを規制するように構成されている、請求項８に記載の集塵バリ取り作業用装置。
【請求項１０】
前記切粉受けは、その周端に、上方に突出し、前記周端に沿って延設された壁部を備えて形成されるとともに、少なくとも前記壁部を設けた部分の前記周端が前記切粉飛散防止装置の仕切り壁部の内面に当接して沿うように形成されている、請求項２から請求項９のいずれか一項に記載の集塵バリ取り作業用装置。
【発明の詳細な説明】
【技術分野】
【０００１】
本発明は、工作機械で加工した加工品のバリ取り作業を行うための集塵バリ取り作業用装置に関する。
【背景技術】
【０００２】
従来、工作機械で切削加工した後の加工品（ワーク、製品）は、一般に、その加工面の端等に発生したバリの除去、加工品に付着した切粉の洗浄除去を行う（例えば、特許文献１参照）。また、バリ取り作業では、作業者が防護具を装着し、グラインダーなどの工具を用いて加工品のバリの発生箇所を切削、研磨する。
【先行技術文献】
【特許文献】
【０００３】
【特許文献１】特開２００６−３４１３５９号公報
【発明の概要】
【発明が解決しようとする課題】
【０００４】
一方、バリ取り作業や切粉洗浄作業では、切粉が飛散し、作業者の目に入る等して労働災害を招くおそれがある。また、周囲に切粉が飛散し、床、壁が汚れ、環境悪化を招くことも考えられる。
【０００５】
このため、一般に、バリ取り作業や切粉洗浄作業は、飛散する切粉を集塵しながら作業を行うようにしている。また、バリ取り作業や切粉洗浄作業時に加工品を載置する作業台自体に切粉を集塵する機能を設け、効果的に切粉の飛散を防止し、且つ切粉を回収除去できるように構成した作業台も実用化されている。
【０００６】
しかしながら、このような切粉の集塵機能を備えた作業台は、加工品の重量やサイズに制限があり、大きな加工品を取り扱えないという問題があった。また、一般に、加工品はパレットに載せ、フォークリフトで運搬することが多く、フォークリフトでパレット毎作業台に載せることができず、作業台上に加工品を載せ替えるという煩わしい工程、それに係る揚重機、作業者が必要になるという問題があった。
【０００７】
本発明は、上記事情に鑑み、より効率的で好適にバリ取り作業を行うことが可能になるとともに、大きな加工品を取り扱う場合であっても、フォークリフトでパレットとともに加工品を作業台に載せて好適にバリ取り作業を行うことが可能な集塵バリ取り作業用装置を提供することを目的とする。
【課題を解決するための手段】
【０００８】
本発明者は、より効率的で好適にバリ取り作業を行うことが可能になるとともに、大きな加工品を取り扱う場合であっても、フォークリフトでパレットとともに加工品を作業台に載せて好適にバリ取り作業を行う手段を見出し、本発明を完成するに至った。
【０００９】
（１）本発明は、パレット（例えば、後述のパレット４）に載置された製品（例えば、後述の加工品Ｗ）のバリ取り作業に用いる装置であって、前記製品を前記パレットとともに載置して作業者（例えば、後述の作業者Ｍ）がバリ取り作業を行うための作業台装置（例えば、後述の作業台装置１）と、前記作業台装置を取り囲むように配置され、切粉の飛散を防止するための切粉飛散防止装置（例えば、後述の切粉飛散防止装置２）と、前記切粉飛散防止装置で囲まれた内部空間の空気を吸引して、バリ取り作業時に発生する切粉を吸引する集塵装置（例えば、後述の集塵装置１５）を備えた切粉吸引回収装置（例えば、後述の切粉吸引回収装置３）と、を備えることを特徴とする。
【００１０】
（２）本発明は、上記（１）において、前記作業台装置は、テーブル（例えば、後述のテーブル５）と、前記テーブルに支持されて前記テーブル上に配設される切粉受け（例えば、後述の切粉受け６）と、前記テーブルに支持され、前記切粉受け上に配設される前記パレット及び前記製品を上下方向に延びる回転軸周りに回転可能に支持する回転機構（例えば、後述の回転機構７）と、を備えてもよい。
【００１１】
（３）本発明は、上記（１）または（２）において、前記切粉吸引回収装置は、切粉受けで受けた切粉を前記集塵装置で吸引して回収するように構成されていてもよい。
【００１２】
（４）本発明は、上記（２）または（３）において、前記作業台装置は、前記テーブルを上下方向に昇降させる昇降機構（例えば、後述の昇降機構８）を備えてもよい。
【００１３】
（５）本発明は、上記（１）から（４）のいずれかにおいて、前記切粉飛散防止装置の内側に入ってバリ取り作業を行う作業者より後方の側から前記作業台装置に載置された前記製品の側に向けて空気を送風する送風装置（例えば、後述の送風装置１３）を備えてもよい。
【００１４】
（６）本発明は、上記（５）において、前記送風装置は、前記切粉飛散防止装置に設けられた作業者出入り用開口（例えば、後述の作業者出入り用開口Ｓ１）から内部に入ってバリ取り作業を行う作業者に対し、斜め後方から風を吹き付けるとともに、前記作業者出入り用開口を遮断するエアカーテンを形成するように構成されていてもよい。
【００１５】
（７）本発明は、上記（１）から（６）のいずれかにおいて、前記切粉飛散防止装置は、前記作業台装置を取り囲むように立設された仕切り壁部（例えば、後述の仕切り壁部１０）を備え、前記仕切り壁部は、少なくとも一部が上下方向に延びる中心軸周りに回動可能に設けられ、前記回動によって、前記仕切り壁部の内外に作業者が出入りするための作業者出入り用開口と、前記仕切り壁部の内側の前記作業台装置に対して前記パレットとともに前記製品を搬入出するための製品搬出入用開口（例えば、後述の製品搬出入用開口Ｓ２）との少なくとも一方の開口部が形成されるように構成されていてもよい。
【００１６】
（８）本発明は、上記（７）において、前記仕切り壁部は、一部が前記仕切り壁部の壁面に沿う方向にスライドして回動可能に設けられ、開のスライド動作によって、前記製品搬出入用開口が形成されるように構成されていてもよい。
【００１７】
（９）本発明は、上記（８）において、前記切粉飛散防止装置は、前記仕切り壁部の前記開のスライド動作を行うとともに、前記作業者出入り用開口に侵入防止部材（例えば、後述の侵入防止部材１１）が突出し、前記作業者出入り用開口から内部に作業者が入ることを規制するように構成されていてもよい。
【００１８】
（１０）本発明は、上記（２）から（９）のいずれかにおいて、前記切粉受けは、その周端に、上方に突出し、前記周端に沿って延設された壁部（例えば、後述の壁部６ａ）を備えて形成されるとともに、少なくとも前記壁部を設けた部分の前記周端が前記切粉飛散防止装置の仕切り壁部の内面に当接して沿うように形成されていてもよい。
【発明の効果】
【００１９】
本発明によれば、より効率的で好適にバリ取り作業を行うことが可能になるとともに、大きな加工品を取り扱う場合であっても、フォークリフトでパレットとともに加工品を作業台に載せて好適にバリ取り作業を行うことが可能になる。
【図面の簡単な説明】
【００２０】
【図１】本発明の一実施形態に係る集塵バリ取り作業用装置を示す斜視図であり、作業者出入り用開口が開いたバリ取り作業時の状態（初期状態）の集塵バリ取り作業用装置を示す図である。
【図２】本発明の一実施形態に係る集塵バリ取り作業用装置を示す斜視図であり、製品搬出入用開口を形成した状態を示す図である。
【図３】本発明の一実施形態に係る集塵バリ取り作業用装置を示す斜視図であり、製品搬出入用開口を形成した状態を示す図である。
【図４】本発明の一実施形態に係る集塵バリ取り作業用装置を示す平面図であり、作業者出入り用開口が開いたバリ取り作業時の状態（初期状態）の集塵バリ取り作業用装置を示す図である。
【図５】本発明の一実施形態に係る集塵バリ取り作業用装置を示す平面図であり、製品搬出入用開口を形成した状態を示す図である。
【図６】本発明の一実施形態に係る集塵バリ取り作業用装置の切粉飛散防止装置の仕切り壁部を示す斜視図であり、バリ取り作業時の状態（初期状態）の仕切り壁部を示す図である。
【図７】本発明の一実施形態に係る集塵バリ取り作業用装置の切粉飛散防止装置の仕切り壁部を示す斜視図であり、製品搬出入用開口を形成した状態の仕切り壁部を示す図である。
【図８】フォークリフトを用いて作業台装置に加工品（製品）を搬入している状態を示す斜視図である。
【発明を実施するための形態】
【００２１】
以下、図１から図８を参照し、本発明の一実施形態に係る集塵バリ取り作業用装置について説明する。
【００２２】
ここで、本実施形態は、工作機械で加工した加工品（製品）のバリ取り作業を粉塵の飛散を防止しつつ行うことができ、特に、大きな加工品を取り扱う場合であっても、フォークリフトでパレットとともに加工品を作業台に載せて好適にバリ取り作業を行うことが可能な集塵バリ取り作業用装置に関するものである。
【００２３】
具体的に、本実施形態の集塵バリ取り作業用装置Ａは、図１から図５に示すように、作業台装置１と、切粉飛散防止装置２と、切粉吸引回収装置３とを備えて構成されている。
【００２４】
作業台装置１は、製品である加工品Ｗをパレット４とともに載置して作業者Ｍがバリ取り作業を行うための装置であり、テーブル５と、テーブル５に支持されてテーブル５上に配設される略平板状の切粉受け６と、テーブル５に支持され、切粉受け６上に配設されるパレット４及び加工品Ｗを上下方向に延びる回転軸Ｏ１周りに回転可能に支持する回転機構７と、テーブル５を上下方向に昇降させる昇降機構８とを備えて構成されている。
【００２５】
回転機構７、昇降機構８はそれぞれ、例えば、作業者Ｍのボタン操作などに応じて駆動する電動モータ等の駆動源を備え、駆動源の正逆回転駆動に応じて、テーブル５を上下方向に延びる回転軸Ｏ１周りに正逆回転させたり、テーブル５を上下方向に昇降させるように構成されている。なお、回転機構７、昇降機構８はそれぞれ、テーブル５あるいはパレット４を回転させたり、昇降させることが可能であれば、特にその構成を限定する必要はない。
【００２６】
切粉飛散防止装置２は、作業台装置１を取り囲むように立設され、バリ取り作業で発生した切粉の外部への飛散を防止するための仕切り壁部１０を備えている。
【００２７】
仕切り壁部１０は、図１から図５、図６、図７、図８に示すように、少なくとも一部が上下方向に延びる中心軸Ｏ２周りに回動可能に設けられ、回動によって、仕切り壁部１０の内外に作業者Ｍが出入りするための作業者出入り用開口（作業者出入り用の開口部）Ｓ１と、仕切り壁部１０の内側の作業台装置１に対してパレット４とともに加工品Ｗを搬入出するための製品搬出入用開口（製品搬出入用の開口部）Ｓ２とが形成されるように構成されている。
【００２８】
より具体的に、本実施形態の仕切り壁部１０は、初期状態の平面視で（図４参照）、作業者出入り用開口Ｓ１を備えた略Ｃ字状に形成されている。仕切り壁部１０は、その一部が仕切り壁部１０の壁面に沿う方向にスライドして回動可能に設けられ、開のスライド動作によって（図５参照）、製品搬出入用開口Ｓ２が形成されるように構成されている。
【００２９】
仕切り壁部１０は、開のスライド動作を行うとともに、作業者出入り用開口Ｓ１に突出する侵入防止部材１１を備え、製品搬入出用開口Ｓ２が形成された際に、侵入防止部材１１によって、作業者出入り用開口Ｓ１から内部に作業者Ｍが入ることを規制するように構成されている。
【００３０】
また、本実施形態の仕切り壁部１０は、例えば、その内部に設けられた作業台装置１のテーブル５、切粉受け６の高さ位置、作業者Ｍの腰の位置よりも上方に位置する部分に透明の壁面材を用いることにより、作業者Ｍが仕切り壁部１０の内部から外部を、外部の者が外部から仕切り壁部１０の内部をそれぞれ、仕切り壁部１０を通して見ることができるようになっている。
【００３１】
仕切り壁部１０には、内部を照らす照明装置１２が設けられている。
【００３２】
また、仕切り壁部１０には、仕切り壁部１０の内側に入ってバリ取り作業を行う作業者Ｍより後方の側から作業台装置１に載置された加工品Ｗの側に向けて空気を送風する送風装置１３が設けられている。この送風装置１３は切粉飛散防止装置２の一構成要素となっている。
【００３３】
本実施形態では、送風装置１３の空気吹き出し口１３ａが仕切り壁部１０の作業者出入り用開口Ｓ１を形成する一端部と他端部の両端部にそれぞれ設けられている。このように仕切り壁部１０の作業者出入り用開口Ｓ１を形成する一端部と他端部にそれぞれ設けられた空気吹き出し口１３ａから空気を吹き出すことによって、作業者出入り用開口Ｓ１から内部に入ってバリ取り作業を行う作業者Ｍに対し斜め後方から風が吹き付けられるとともに、作業者出入り用開口Ｓ１を遮断するエアカーテンが形成される。
【００３４】
ここで、作業台装置１の切粉受け６は、その周端に、上方に突出し、周端に沿って延設された壁部６ａを備えて形成されるとともに、少なくとも壁部６ａを設けた部分の周端が切粉飛散防止装置２の仕切り壁部１０の内面に沿うように形成されている。なお、切粉受け６の壁部６ａは、切粉受け６で受けた切粉が落下することを抑止するためのものであり、仕切り壁部１０の内面に当接していることが好ましい。
【００３５】
切粉吸引回収装置３は、切粉飛散防止装置２（仕切り壁部１０）で囲まれた内部空間の空気を吸引して、バリ取り作業時に発生する切粉を吸引する集塵装置１５を備えている。
【００３６】
本実施形態では、切粉受け６の所定位置に切粉吸引孔１４が上面から下面に貫通形成されており、集塵装置１５から延びる吸引管１６の先端が切粉吸引孔１４に接続され、切受け６上の切粉を集塵装置１５で吸引回収できるように構成されている。
なお、例えば、複数の切粉吸引孔１４が切粉受け６の所定位置に分散して設けられ、これら複数の切粉吸引孔１４にそれぞれ、集塵装置１５から延びる吸引管１６を接続するように構成してもよい。また、切粉受け６の切粉を吸引するだけでなく、仕切り壁部１０の内部の所望の位置に集塵装置１５、吸引管１６の吸引口を設けて飛散した切粉を吸引回収し、結果として切粉の外部への拡散をより効果的に防止するように構成してもよい。
【００３７】
上記のように構成した本実施形態の集塵バリ取り作業用装置Ａにおいては、加工品Ｗをパレット４とともに載置して作業者Ｍがバリ取り作業を行うための作業台装置１と、切粉の飛散を防止するための切粉飛散防止装置２と、切粉飛散防止装置２で囲まれた内部空間の空気を吸引して、バリ取り作業時に発生する切粉を吸引する集塵装置１５を備えた切粉吸引回収装置３とを備えることにより、切粉の飛散を防止し切粉を回収しながら加工品Ｗのバリ取り作業を行うことが可能になる。
【００３８】
作業台装置１が、テーブル５と、切粉受け６と、パレット４及び加工品Ｗを回転させる回転機構７とを備えることにより、切粉を切粉受け６で受け、切粉の飛散を防止しながらバリ取り作業を行うことができる。また、回転機構によってパレット４及び加工品Ｗを切粉飛散防止装置２の内側で回転させることができるため、切粉飛散防止装置２の内側に入ってバリ取り作業を行う作業者Ｍの加工品Ｗの取扱性をよくすることができ、効率的にバリ取り作業を行うことが可能になる。
【００３９】
切粉受け６で受けた切粉を集塵装置１５で吸引して回収することによって、切粉の飛散を効果的に防止でき、且つ効率的に切粉を回収することが可能になる。
【００４０】
作業台装置１がテーブル５を上下方向に昇降させる昇降機構８を備えることによって、作業者の身長等の違いに対して、切粉飛散防止装置２の内側でテーブル５ひいては加工品Ｗの高さを自在に調整することができる。これにより、より効率的に加工品Ｗのバリ取り作業を行うことが可能になる。
【００４１】
また、切粉飛散防止装置２の内側に入ってバリ取り作業を行う作業者Ｍより後方の側から作業台装置１に載置された加工品Ｗの側に向けて空気を送風する送風装置１３を備えることにより、切粉の外部への飛散をより確実に防止することができる。
【００４２】
さらに、送風装置１３が切粉飛散防止装置２に設けられた作業者出入り用開口Ｓ１から内部に入ってバリ取り作業を行う作業者Ｍに対し、斜め後方から風を吹き付けるとともに、作業者出入り用開口Ｓ１を遮断するエアカーテンを形成するように構成されていることによって、作業者出入り用開口Ｓ１が設けられている場合であっても、確実に切粉の外部への飛散を防止することができる。
【００４３】
切粉飛散防止装置２が作業台装置１を取り囲むように立設された仕切り壁部１０を備え、この仕切り壁部１０が回動することにより、作業者出入り用開口Ｓ１と製品搬出入用開口Ｓ２の少なくとも一方の開口部が形成されるようにしたことで、図８に示すように、パレット４に加工品Ｗを載せた状態で、フォークリフト１７によって作業台装置１に加工品Ｗを搬入出することが可能になる。
【００４４】
また、本実施形態の仕切り壁部１０は、その一部をスライドして回動させる開のスライド動作だけで、製品搬出入用開口Ｓ２を開閉することができる。これにより、加工品Ｗの搬入出を容易に行うことが可能になる。
【００４５】
さらに、仕切り壁部１０の開のスライド動作を行うとともに、作業者出入り用開口Ｓ１に侵入防止部材１１が自動的に突出することで、製品搬出入用開口Ｓ２を形成してフォークリフト１７で加工品Ｗを出し入れする際に、仕切り壁部１０の内部に作業者Ｍ等が入ることを自動的に規制でき、作業者Ｍの安全性の確保、さらに作業効率の向上を図ることが可能になる。
【００４６】
また、切粉受け６の周端に壁部６ａが設けられていることにより、切粉受け６で受けた切粉が落下することを抑止することができ、切粉の飛散をより効果的に防止することが可能になる。
【００４７】
したがって、本実施形態の集塵バリ取り作業用装置Ａによれば、より効率的に加工品（製品）Ｗのバリ取り作業を行うことが可能になるとともに、大きな加工品Ｗであっても、フォークリフト１７でパレット４とともに加工品Ｗを作業台に載せて好適にバリ取り作業を行うことが可能である。
【００４８】
以上、本発明に係る集塵バリ取り作業用装置の一実施形態について説明したが、本発明は上記の一実施形態に限定されるものではなく、その趣旨を逸脱しない範囲で適宜変更可能である。
【符号の説明】
【００４９】
１  作業台装置
２  切粉飛散防止装置
３  切粉吸引回収装置
４  パレット
５  テーブル
６  切粉受け
６ａ  壁部
７  回転機構
８  昇降機構
１０  仕切り壁部
１１  侵入防止部材
１２  照明装置
１３  送風装置
１３ａ  空気吹き出し口
１４  切粉吸引孔
１５  集塵装置
１６  吸引管
１７  フォークリフト
Ａ  集塵バリ取り作業用装置
Ｍ  作業者
Ｓ１  作業者出入り用開口
Ｓ２  製品搬出入用開口
Ｗ  加工品（製品）
【図１】
2020093328.tif 000003
【図２】
2020093328.tif 000004
【図３】
2020093328.tif 000005
【図４】
2020093328.tif 000006
【図５】
2020093328.tif 000007
【図６】
2020093328.tif 000008
【図７】
2020093328.tif 000009
【図８】
2020093328.tif 000010